(57)【要約】【課題】光ケーブルの接続先である光アダプタを高密度に（大量に）搭載可能で、且つ、装置全体を小型化（薄型化）でき、容易に増設することができると共に、良好な光ケーブルルート及び作業操作性を実現する配線接続装置であって、光ケーブルの損傷を招くことのない安全な光ケーブル接続を提供することができる配線接続装置を提供することができる。【解決手段】複数の配線２９、３０を接続する配線接続部材３１が内部に複数配設されたトレイ２１と、前記トレイ２１を収容するトレイ収容筐体２２と、を備えた配線接続装置２０は、前記トレイ２１が前記トレイ収容筐体２２に回動自在に設けられ、前記トレイ２１の回動の中心近傍に、前記複数の配線２９、３０を前記トレイ２１内に導入する配線導入口３６が形成されていることを特徴とする。【選択図】図２
2008170502.tif 000002
【特許請求の範囲】
【請求項１】
複数の配線を接続する配線接続部材が内部に複数配設されたトレイと、
前記トレイを収容するトレイ収容筐体と、を備えた配線接続装置であって、
前記トレイは前記トレイ収容筐体に回動自在に設けられ、
前記トレイの回動の中心近傍に、前記複数の配線を前記トレイ内に導入する配線導入口が形成されていることを特徴とする配線接続装置。
【請求項２】
請求項１記載の配線接続装置であって、
前記トレイと前記トレイ収容筐体は、回転軸を有する回転軸部品を介して接続され、
前記配線導入口は、前記回転軸の近傍に形成され、
前記トレイは、前記回転軸を中心に回動することを特徴とする配線接続装置。
【請求項３】
請求項１又は２記載の配線接続装置であって、
前記複数の配線接続部材が取り付けられた配線接続部材取付部材が前記トレイ内に複数列配設され、
一の列に於いて隣接して取り付けられた配線接続部材同士の間に、他の列に取り付けられた配線接続部材に接続された配線を通すための配線配設用溝部が形成されていることを特徴とする配線接続装置。
【請求項４】
請求項１乃至３いずれか一項記載の配線接続装置であって、
前記トレイ収容筐体は、天板及び底板を備え、
前記天板及び前記底板の内部には、凹凸部を有する補強板が設けられていることを特徴とする配線接続装置。
【請求項５】
請求項４記載の配線接続装置であって、
前記補強板には、前記トレイの前記回動中心を中心とした円弧上に、回動用溝部が貫通形成されていることを特徴とする配線接続装置。
【請求項６】
請求項５記載の配線接続装置であって、
前記回動用溝部には、前記トレイに固定されたブッシュが挿入されており、
前記ブッシュが前記回動用溝部を移動すると、前記トレイが回動することを特徴とする配線接続装置。
【請求項７】
請求項１乃至６記載の配線接続装置であって、
前記トレイを回動させることにより露出する前記トレイの側面に、板状のトレイ回動停止用部材が回動自在に設けられていることを特徴とする配線接続装置。
【請求項８】
請求項７記載の配線接続装置であって、
前記トレイ回動停止用部材は、
回転軸部と、
前記回転軸部と所定長さ離間して設けられたネジ部と、
前記回転軸部を中心とし、前記回転軸部と前記ネジ部との離間長さを径とした円弧上に、トレイ回動停止用溝部が貫通形成された主部と、
前記主部から延在形成された天板当接部と、を備え、
前記ネジ部は、前記トレイ回動停止用溝部内に位置し、
前記トレイ回動停止用部材を回動することにより、前記天板当接部と前記トレイ収容筐体の天板とが当接することを特徴とする配線接続装置。
【請求項９】
請求項１乃至８いずれか一項記載の配線接続装置であって、
前記トレイの上方を覆うシートが、前記トレイの側面部に回動自在に設けられていることを特徴とする配線接続装置。
【請求項１０】
請求項９記載の配線接続装置であって、
前記シートの外周部にシート回動用孔が形成され、
前記トレイの前記側面部に、略コの字型形状を有するシート回動支持部材が形成され、
前記シートの前記回動用孔内に前記トレイの前記シート回動支持部材が移動自在に挿入されて、前記シートと前記トレイとが移動自在に接合されることを特徴とする配線接続装置。
【発明の詳細な説明】
【技術分野】
【０００１】
本発明は、配線接続装置に関し、より具体的には、通信機器、情報処理機器、計測機器等の電子機器全般に用いられ、一の側の配線と他の側の配線とを中継接続する配線接続装置に関する。
【背景技術】
【０００２】
従来より、ケーブルを用いた情報配線システムにおいて、ケーブルの接続関係の変更を容易にすべく、ケーブルが着脱自在に差し込まれるアダプタを複数備えた配線接続装置が用いられている。この種の配線接続装置は、パッチパネルと称され、ネットワークの配線作業を支援するものである。
【０００３】
図１は、従来のパッチパネルの構造を示す斜視図である。
【０００４】
図１を参照するに、従来のパッチパネル１０においては、図示を省略する金属製のラックに取り付けられるフレーム１に、板状のパネル２が鉛直方向に立設し保持されている。
【０００５】
パネル２には、複数の光アダプタ３が取り付けられている。より具体的には、パネル２において所定の間隔をもって、略矩形状の光アダプタ取付孔４が複数形成され、各光アダプタ取付孔４に２つの光アダプタ３が鉛直方向に並んで、嵌め込まれて取り付けられている。
【０００６】
フレーム１の左右両端部に設けられた固定片５には取付ねじが挿入される固定用孔６が形成されており、固定用孔６に挿入される前記取付ねじをラックに設けたねじ孔に螺合させることにより、フレーム１がラックに固定される。
【０００７】
この状態で、光アダプタに光ケーブルが接続される。具体的には、通信局舎の幹線側の光ケーブル７が、光アダプタ３においてパッチパネル１０の前面側に形成された取付口に接続され、装置側の光ケーブル８が、光アダプタ３においてパッチパネル１０の裏面側に形成された取付口に接続される。
【０００８】
そのほか、複数のトレイが筐体に回動自在に設けられ、各トレイに三日月形状の内壁部が複数形成され、ケーブルが前記内壁部に巻かれた状態で収納されて、余長ケーブルがゆるんでトレイの外部に垂れてしまうことを防ぐ態様が提案されている（特許文献１参照）。
【特許文献１】米国特許第６，２６３，１４１号公報
【発明の開示】
【発明が解決しようとする課題】
【０００９】
しかしながら、パネル２における光アダプタ３の配置は、光ケーブル７、８の接続作業のために作業者の指が入るスペースを確保しながらの配置となるため、図１に示す従来のパッチパネル１０においては、光ケーブル７、８の接続先である光アダプタ３を高密度に（大量に）取り付けることは困難である。
【００１０】
仮に、多くの光アダプタ３をパネル２に取り付けようとすると、パネル２のサイズを拡大しなければならず、そうすると、パッチパネル１０全体の大型化を招いてしまう。
【００１１】
パッチパネルとしての薄型化を実現するために、筐体にトレイを引き出し自在に収容し、かかるトレイの中に光アダプタを設ける態様が考えられる。しかしながら、この場合、トレイの筐体からの引き出し長さに相当する余長を有するケーブルをトレイ内部に収納することになり、その結果、アダプタをトレイに実装することができる領域が少なくなってしまう。
【００１２】
更に、図１に示す従来のパッチパネル１０では、板状のパネル２に光アダプタ３を取り付けた構造となっているため、パッチパネル１０として所定の大きいサイズが必要となり、増設するのが難しい。
【００１３】
また、図１に示す従来のパッチパネル１０では、鉛直方向に立設している板状のパネル２に取り付けられた光アダプタ３を介して、通信局舎の幹線側の光ケーブル７と装置側の光ケーブル８とが接続されており、何れかのケーブル（図１に示す例では、装置側の光ケーブル８）は、パネル２の裏面側からの接続となっている。
【００１４】
従って、パネル２の裏面側から接続されているケーブル（図１に示す例では光ケーブル８）をパネル２の前面側に引き出す等の作業において、当該ケーブルを操作者が引っ掛けたり、予期しない負荷をかけてしまうこと等により損傷させてしまうおそれがある。
【００１５】
よって、安全な光ケーブル接続を実現するために、通信局舎の幹線側の光ケーブル７と装置側の光ケーブル８の接続ルートに工夫が必要となるとともに、これらの光ケーブル７、８を保護する必要がある。
【００１６】
そこで、本発明は、上記の点に鑑みてなされたものであって、光ケーブルの接続先である光アダプタを高密度に（大量に）搭載可能で、且つ、装置全体を小型化（薄型化）でき、容易に増設することができると共に、良好な光ケーブルルート及び作業操作性を実現する配線接続装置であって、光ケーブルの損傷を招くことのない安全な光ケーブル接続を提供することができる配線接続装置を提供することを本発明の目的とする。
【課題を解決するための手段】
【００１７】
本発明の一観点によれば、複数の配線を接続する配線接続部材が内部に複数配設されたトレイと、前記トレイを収容するトレイ収容筐体と、を備えた配線接続装置であって、前記トレイは前記トレイ収容筐体に回動自在に設けられ、前記トレイの回動の中心近傍に、前記複数の配線を前記トレイ内に導入する配線導入口が形成されていることを特徴とする配線接続装置が提供される。
【００１８】
前記トレイと前記トレイ収容筐体は、回転軸を有する回転軸部品を介して接続され、前記配線導入口は、前記回転軸の近傍に形成され、前記トレイは、前記回転軸を中心に回動することとしてもよい。また、前記回転軸部品は、前記回転軸に回動自在に連結された第１の板部及び第２の板部を備え、前記第１の板部は前記トレイ収容筐体に締結され、前記第２の板部は前記トレイに締結され、前記第２の板部と略同一面上に前記配線導入口が形成され、前記第２の板部が前記回転軸を中心に回動することにより、前記トレイが前記回転軸を中心に回動することとしてもよい。
【００１９】
前記複数の配線接続部材が取り付けられた配線接続部材取付部材が前記トレイ内に複数列配設され、一の列に於いて隣接して取り付けられた配線接続部材同士の間に、他の列に取り付けられた配線接続部材に接続された配線を通すための配線配設用溝部が形成されていてもよい。前記配線接続部材取付部材は、前記トレイの幅方向に延設された２つの折曲部材を当該折曲部材同士が接する面を対象線として線対称に配置して成り、前記配線接続部材取付部材において、前記配線接続部材が取り付けられる面の上下には、天板部と底板部が設けられ、前記配線接続部材取付部材は、略コの字型の断面形状を有することとしてもよい。
【００２０】
前記配線接続部材を前記配線接続部材取付部材に対して挿抜するための配線接続部材用挿抜部材を、前記トレイ内に備え、前記配線接続部材用挿抜部材は、前記配線接続部材の外形形状に対応した形状を有する挟持部を有することとしてもよい。
【００２１】
前記トレイ収容筐体は、天板及び底板を備え、前記天板及び前記底板の内部には、凹凸部を有する補強板が設けられていることとしてもよい。前記補強板には、前記トレイの前記回動中心を中心とした円弧上に、回動用溝部が貫通形成されていてもよい。前記回動用溝部には、前記トレイに固定されたブッシュが挿入されており、前記ブッシュが前記回動用溝部を移動すると、前記トレイが回動することとしてもよい。
【００２２】
前記トレイを回動させることにより露出する前記トレイの側面に、板状のトレイ回動停止用部材が回動自在に設けられていてもよい。前記トレイ回動停止用部材は、回転軸部と、前記回転軸部と所定長さ離間して設けられたネジ部と、前記回転軸部を中心とし、前記回転軸部と前記ネジ部との離間長さを径とした円弧上に、トレイ回動停止用溝部が貫通形成された主部と、前記主部から延在形成された天板当接部と、を備え、前記ネジ部は、前記トレイ回動停止用溝部内に位置し、前記トレイ回動停止用部材を回動することにより、前記天板当接部と前記トレイ収容筐体の天板とが当接することとしてもよい。
【００２３】
前記トレイの上方を覆うシートが、前記トレイの側面部に回動自在に設けられていることとしてもよい。前記シートの外周部にシート回動用孔が形成され、前記トレイの前記側面部に、略コの字型形状を有するシート回動支持部材が形成され、前記シートの前記回動用孔内に前記トレイの前記シート回動支持部材が移動自在に挿入されて、前記シートと前記トレイとが移動自在に接合されることとしてもよい。
【発明の効果】
【００２４】
本発明によれば、光ケーブルの接続先である光アダプタを高密度に（大量に）搭載可能で、且つ、装置全体を小型化（薄型化）でき、容易に増設することができると共に、良好な光ケーブルルート及び作業操作性を実現する配線接続装置であって、光ケーブルの損傷を招くことのない安全な光ケーブル接続を提供することができる配線接続装置を提供することができる。
【発明を実施するための最良の形態】
【００２５】
以下、本発明の実施の形態について図面を参照して説明する。
【００２６】
図２は、本発明の実施の形態に係るパッチパネル２０の全体構成を示す斜視図である。
【００２７】
図２では、トレイ２１をトレイ収容筐体２２対して回動し、トレイ２１上方を覆う透明シート４０を開いた状態が示されている。
【００２８】
本発明の配線接続装置の一例としてのパッチパネル２０は、例えば、奥行き方向（図２におけるＸ１−Ｘ２方向）の長さが約３０．５センチ（１２インチ）、幅（図２におけるＹ１−Ｙ２方向の長さ）が約５８．３センチ（２３インチ）、高さが１Ｕ（４．４４５センチ）の大きさを有する。一般に、パッチパネルが固定される金属製のラックの高さはＵ単位で構成されるため、高さが１Ｕの本例のパッチパネル２０は、どのような高さのラックにも適用でき、容易に増設が可能である。但し、上記寸法はあくまでも例示であり、本発明は、上記以外の寸法を有するパッチパネルにも適用することができる。
【００２９】
例えばステンレスから成り、略直方体形状を有するトレイ収容筐体２２は、平面視略矩形形状を有する天板２３及び底板２４（図８参照）を備える。
【００３０】
天板２３の奥行き方向（図２におけるＸ１−Ｘ２方向）の外周部分と、底板２４（図８参照）の奥行き（図２におけるＸ１−Ｘ２方向）方向の外周部分との間には、例えばステンレスから成る側面板２５が底板２４（図８参照）から延設されている。
【００３１】
また、天板２３の幅（図２におけるＹ１−Ｙ２方向）方向の外周部分及び底板２４（図８参照）の幅（図２におけるＹ１−Ｙ２方向）方向の外周部分のうち、奥行き側（図２におけるＸ２側）には、例えばステンレスから成る奥行き面板（図示せず）が設けられている。
【００３２】
一方、天板２３の幅（図２におけるＹ１−Ｙ２方向）方向の外周部分及び底板２４（図８参照）の幅（図２におけるＹ１−Ｙ２方向）方向の外周部分のうち、手前側（図２におけるＸ１側）は開口しており、トレイ２１を回動させることにより、トレイ２１をトレイ収容筐体２２から外部に露出させることができる。即ち、本例では、トレイ２１が、トレイ収容筐体２２の天板２３と底板２４（図８参照）との間を回動する。トレイ収容筐体２２に対するトレイ２１の回動構造の詳細については、図８を参照して後述する。
【００３３】
トレイ収容筐体２２の側面板２５には、固定片２６が締結されており、当該固定片２６には取付ねじが挿入される固定用孔２７が形成されており、固定用孔２７に挿入される前記取付ねじを、図示を省略するラックに設けたねじ孔に螺合させることにより、パッチパネル２０はラックに固定される。
【００３４】
トレイ２１は、例えば、ステンレスから成り、略直方体形状を有する。
【００３５】
トレイ２１がトレイ収容筐体２２に収容された状態で手前側（図２におけるＸ１側）に位置する側面部２８には、透明シート４０が約２７０度回動自在に設けられている。透明シート４０により、トレイ２１の上方が覆われる。透明シート２１の回動構造の詳細については、図１３及び図１４を参照して後述する。
【００３６】
トレイ２１内には、通信局舎の幹線側の光ケーブル（配線）２９と、装置側の光ケーブル（配線）３０とが接続される光アダプタ３１（配線接続部材）等が高密度に（大量に）実装される。光ケーブル２９、３０の光アダプタ３１への接続構造の詳細については、図４乃至図６を参照して後述する。
【００３７】
ここで、図２に加え、図３も参照する。図３は、トレイ２１における光ケーブル２９、３０の収容構造を説明するための図（その１）である。
【００３８】
より具体的には、図３（ａ）は、トレイ２１がトレイ収容筐体２２に収容された状態における、図２において点線Ａで示す箇所の部分拡大図であり、図面を見やすくするために光ケーブル２９、３０の図示は省略している。
【００３９】
図３（ｂ）は、トレイ２１を回動操作し、トレイ収容筐体２２からトレイ２１を外部に露出した状態における、図２において点線Ａで示す箇所の部分拡大図である。なお、図３（ｂ）に示す例では、透明シート４０は、トレイ２１の上方を覆っている。また、図面を見やすくするために、図３（ｂ）では、光ケーブル２９、３０については一部のみ図示している。
【００４０】
図２及び図３を参照するに、トレイ２１は、回転軸３２を有する軸金具（回転軸部品）３３を介して、トレイ収容筐体２２の天板２３と底板２４（図８参照）との間に設けられた側面板２５に回動自在に連結されている。軸金具３３は、例えば、蝶番であり、１本の回転軸３２と当該回転軸３２に回動自在に連結された２枚の金属板３４、３５（図３（ａ）参照）から略構成され、一方の金属板（第１の板部）３４がトレイ収容筐体２２の側面板２５にネジ等で締結され、他方の金属板（第２の板部）３５がトレイ２１にネジ等で締結されている。かかる構造により、トレイ２１は、軸金具３２の回転軸３２を中心に、回動する。
【００４１】
トレイ２１の、軸金具３３の回転軸３２の近傍の１箇所において、光アダプタ３１に接続される光ケーブル２９、３０の導入箇所であるケーブル導入口（配線導入口）３６が形成されている。具体的には、ケーブル導入口３６は、略コの字型形状を有する金属製のケーブル整合部材３７とトレイ２１の側面部２８の端部とにより形成され、トレイ２１に締結されている金属板３５と略同一面上にケーブル導入口３６の開口部が形成されている。
【００４２】
光アダプタ３１に接続される通信局舎の幹線側の光ケーブル２９と、装置側の光ケーブル３０との双方の全てが集約されて、パッチパネル２０の外部からケーブル導入口３６を介して、トレイ２１内に収納される。
【００４３】
上述のように、トレイ２１の、軸金具３３の回転軸３２の近傍の１箇所において、トレイ２１に締結されている金属板３５と略同一面上にケーブル導入口３６の開口部が形成され、トレイ２１に締結されている金属板３５は、回転軸３２を中心に回動する。よって、トレイ２１が回転軸３２を中心に回動すると、それに伴い、ケーブル導入口３６の開口部も回動する。即ち、ケーブル導入口３６の開口部の近傍を中心としてトレイ２１が回動する。従って、光ケーブル２９、３０がトレイ２１内に設けられた光アダプタ３１に接続された状態であっても、当該光ケーブル２９、３０の長さ（ケーブル長）を変えることなく、トレイ２１を回動させることができる。
【００４４】
このように、本例では、光ケーブル２９、３０のケーブル長を変えることなく、即ち、光ケーブル２９、３０に余長をもたせることなく、光ケーブル２９、３０をトレイ２１の内部に収納することができるため、トレイ２１の内部における光アダプタ３１の実装領域を大きくとることができる。よって、トレイ２１の内部において、光アダプタ３１及び当該光アダプタ３１に接続される光ケーブル２９、３０を高密度に（大量に）実装することができる。
【００４５】
また、光ケーブル２９、３０に余長をもたせることなく、光ケーブル２９、３０をトレイ２１の内部に収納することができるため、トレイ２１の回動の際に光ケーブル２９、３０に不要な負荷がかかってしまうことを回避することができる。よって、光ケーブル２９、３０に損傷を与えることなく安全に光ケーブル２９、３０の接続作業を行うことができる。
【００４６】
上述のように、本例のパッチパネル２０は、高さが１Ｕ（４．４４５センチ）という薄型の装置であり、かかる薄型の装置内で、かかる光アダプタ３１及び光ケーブル２９、３０のトレイ２１内における高密度実装と、良好な光ケーブルルート及び作業操作性とを実現している。
【００４７】
次に、光ケーブル２９、３０の光アダプタ３１への接続構造の詳細について、図４乃至図６も参照して説明する。
【００４８】
図４は、トレイ２１における光ケーブル２９、３０の収容構造を説明するための図（その２）であり、図２において点線Ｂで示す箇所の部分拡大図である。図４では、図面を見やすくするために、光ケーブル２９、３０については部分的に図示し、また、透明シート４０の図示は省略している。
【００４９】
図２及び図４を参照するに、集約されて、パッチパネル２０の外部からケーブル導入口３６を介してトレイ２１内に導入された通信局舎の幹線側の光ケーブル２９及び装置側の光ケーブル３０は、トレイ内を所定のルートで回った状態で、トレイ２１内に実装された光アダプタ３１に接続されている。
【００５０】
具体的には、通信局舎の幹線側の光ケーブル２９はケーブル導入口３６から反時計回りでトレイ２１内に導入され光アダプタ３１に接続され、装置側の光ケーブル３０はケーブル導入口３６から時計回りでトレイ２１内に導入され、略コの字型形状を有する金属製のケーブル整合部材７０、７１（図２参照）を通って光アダプタ３１に接続されている。
【００５１】
但し、光ケーブル２９、３０の機械的損傷（劣化）及び光損失の観点から、トレイ２１内での光ケーブル２９、３０の曲げ角度が所定の値を越えないようにする必要があり、光ケーブル２９、３０のケーブル導入口３６からのトレイ２１内への導入方向は、前記光ケーブル２９、３０の曲げ角度と、光ケーブル２９、３０が接続される光アダプタ３１の配設位置により定められる。
【００５２】
また、トレイ２１内での光ケーブル２９、３０の曲げ角度が所定の値を越えないようにするために、ケーブル曲げ半径制御部材４２が、トレイ２１の内壁面に沿って（Ｘ１−Ｘ２方向に）複数設けられている。図２に示すように、ケーブル導入口３６からトレイ２１内に導入された光ケーブル２９、３０は、かかるケーブル曲げ半径制御部材４２とトレイ２１の内壁面との間を通り、所定の径を有する曲線状に曲げられて、光アダプタ３１に接続されている。
【００５３】
次に、光アダプタ３１の配設構造について、図４に加え、図５及び図６も参照して説明する。ここで、図５は、光アダプタ３１の配設構造を示す図であり、図４の部分拡大図である。図６は、図５の線Ｃ−Ｃにおける断面図である。
【００５４】
図４に示すように、複数の光アダプタ３１は、トレイ２１の奥行き方向（Ｙ１−Ｙ２方向）に、２列配設されている。
【００５５】
より具体的には、図６に示すように、略コの字型の鉛直方向の断面を有するように折曲形成され、トレイ２１の幅方向（Ｘ１−Ｘ２方向）に延設された薄板である２つの折曲パネル部材（折曲部材）４４−１及び４４−２を、両者が接する面を対象線として線対称に配置（背中合わせに配置）して構成された光アダプタ取付部材（配線接続部材取付部材）４４に、光アダプタ３１が取り付けられている。
【００５６】
図５に示すように、光アダプタ取付部材４４の鉛直方向に形成された面には、所定の間隔をもって、略矩形状の光アダプタ取付孔４６が複数貫通形成され、各光アダプタ取付孔４６に２つの光アダプタ３１が鉛直方向に並んで、嵌め込まれて取り付けられている。
【００５７】
また、隣接する光アダプタ取付孔４６の間には、略Ｕ字型の光ケーブル通過スリット（配線配設用溝部）４８が形成されている。
【００５８】
図４に示すように、このような構造を有する光アダプタ取付部材４４は、トレイ２１の奥行き方向（Ｙ１−Ｙ２方向）に２列配設されている。一の光アダプタ取付部材４４に取り付けられた光アダプタ３１に接続された光ケーブル２９又は３０が、他の光アダプタ取付部材４４に形成された光ケーブル通過スリット４８内を通るように、一の光アダプタ取付部材４４に形成された光アダプタ取付孔４６と他の光アダプタ取付部材４４に形成された光アダプタ取付孔４６とは、トレイ２１の奥行き方向（Ｙ１−Ｙ２方向）から見たときに互い違いになるように形成されている。
【００５９】
かかる構造により、隣接する光アダプタ取付孔４６の間隔を図１に示す例に比し大きくすることができ、これにより、光ケーブル２９、３０のり接続作業スペースを確保して作業性を向上させることができると共に、光アダプタ３１を高密度に（大量に）トレイ２１に実装することができる。
【００６０】
ところで、隣接する光アダプタ取付孔４６の間に形成されている光ケーブル通過スリット４８は、略Ｕ字型の形状を有するが、図５に示すように、鉛直方向の断面が略コの字型を有するよう折曲形成された折曲パネル部材４４−１及び４４−２の天板部４４−１ａ、４４−２ａの外周部分の一部が、略Ｕ字型の形状を有する光ケーブル通過スリット４８の上部を覆っている。
【００６１】
従って、かかる折曲パネル部材４４−１及び４４−２の天板部４４−１ａ、４４−２ａの外周部分の一部により、光ケーブル通過スリット４８の上部が下部よりも狭い形状となっている。かかる構造により、光ケーブル通過スリット４８内を通る光ケーブル２９、３０は、最も上方に位置しても折曲パネル部材４４−１及び４４−２の天板部４４−１ａ、４４−２ａの外周部分の一部に引っかかるため、光ケーブル２９、３０のはね上がりを防止することができる。
【００６２】
折曲パネル部材４４−１の天板部４４−１ａと、折曲パネル部材４４−２の天板部４４−２ａとは同一面を形成しており、かかる面に、書き込み可能なラベル５０を貼り付けることができる。例えば、ラベル５０に、光ケーブル２９、３０の接続先を表示することにより、トレイ２１における光アダプタ３１及び光ケーブル２９、３０の高密度実装により複雑化した光ケーブル２９、３０の接続作業を明確にすることができる。
【００６３】
また、図１に示す従来のパッチパネル１０では、光アダプタ取付孔４が形成された板状のパネル２の強度を確保するために、鉛直方向に隣接する光アダプタ取付孔４同士の間に所定の間隔が形成されている。一方、本例では、折曲パネル部材４４−１、４４−２において、光アダプタ取付孔４６が形成された鉛直方向の面の上下に、ひさし状の天板部４４−１ａ、４４−２ａと底板部４４−１ｂ、４４−２ｂとが設けられており、これらによって、光アダプタ取付部材４４の強度を確保すると共に、光アダプタ取付部材４４の高さを低く抑えることを実現している。
【００６４】
次に、光アダプタ取付孔４６への光アダプタ３１の挿抜の仕方について、図７を参照する。ここで、図７は、光アダプタ取付孔４６への光アダプタ３１の挿抜の仕方を説明するための図であり、図２において点線Ｄで示す箇所の部分拡大図である。図面を見やすくするために、図７では、光ケーブル２９、３０の図示は省略している。
【００６５】
図７（ａ）を参照するに、アダプタ取付孔４６への光アダプタ３１の挿抜は、トレイ２１の内側面に設けられた光アダプタ挿抜用部材（配線接続部材用挿抜部材）６０を用いて行われる。光アダプタ挿抜用部材６０はネジ６０−１が取り付けられた支持部６０−２と、支持部６０−２から延設され、断面が略コの字型で光アダプタ３１の外形形状に対応した形状を有する挟持部６０−３から大略構成された金具である。
【００６６】
トレイ２１の内側面には、挟持部６０−３の形状に対応した略矩形形状の光アダプタ取外し部材取付孔６１が形成されており、通常時には、光アダプタ挿抜用部材６０の挟持部６０−３が光アダプタ取外し部材取付孔６１に嵌合され、更に、ネジ６０−１により、光アダプタ挿抜用部材６０はトレイ２１の内側面に固定されている。
【００６７】
光アダプタ３１の清掃や保守等のために、光アダプタ３１をアダプタ取付孔４６に対して挿抜する場合には、トレイ２１の内側面からネジ６０−１を緩めて、光アダプタ取外し部材取付孔６１から挟持部６０−３を引き出す。次いで、光アダプタ挿抜用部材６０の挟持部６０−３の内側面で、光アダプタ３１の側面に設けられている爪部６５を押し込み、光アダプタ３１をアダプタ取付孔４６（図５参照）から抜き出す場合には、図７（ｂ）において矢印で示す方向に光アダプタ挿抜用部材６０を移動し、光アダプタ３１をアダプタ取付孔４６（図５参照）に挿入する場合には、図７（ｂ）において矢印で示す方向と反対の方向に光アダプタ挿抜用部材６０を移動する。
【００６８】
このように、本例では、トレイ２１に簡易な構造を有する光アダプタ挿抜用部材６０を配設し、かかる光アダプタ挿抜用部材６０を用いることにより、光アダプタ３１の清掃や保守等のために、高密度に（大量に）配置された光アダプタ３１をアダプタ取付孔４６に対して容易に挿抜することができる。
【００６９】
次に、トレイ収容筐体２２に対するトレイ２１の回動構造について、図８乃至図１１を参照して後述する。
【００７０】
図８は、トレイ収容筐体２２の概略構造を示す分解斜視図であり、図８（ａ）は、トレイ収容筐体２２の天板２３側の分解斜視図であり、図８（ｂ）は、トレイ収容筐体２２の底板２４側の分解斜視図である。
【００７１】
図８（ａ）に示すように、トレイ収容筐体２２の天板２３の内部の下部に、板金部品である補強板７５が設けられている。補強板７５の幅方向（Ｙ１−Ｙ２方向）の外周部分には、断面が凹凸状の凹凸部７６−１、７６−２が、当該幅方向に形成されている。この凹凸部７６−１、７６−２は、梁の役割を果たし、補強板７５は、トレイ収容筐体２２の天板２３の機械的強度を補強する。
【００７２】
補強板７５において、トレイ２１のトレイ収容筐体２２に対する回動中心である軸金具３２の回転軸３２を中心とした約４分の１円弧上には、スリット（回動用溝部）７７が貫通形成されている。例えば、当該円弧の半径を約３インチ（７．６センチ）に、スリット７７の幅を約１センチに設定してもよい。
【００７３】
図８（ｂ）に示すように、トレイ収容筐体２２の底板２４の内部の上部に、板金部品である補強板７８が設けられている。補強板７８の幅方向（Ｙ１−Ｙ２方向）の外周部分には、断面が凹凸状の凹凸部７９−１、７９−２が、当該幅方向に形成されている。この凹凸部７９−１、７９−２は、梁の役割を果たし、補強板７８は、トレイ収容筐体２２の底板２４の機械的強度を補強する。
【００７４】
補強板７８において、トレイ２１のトレイ収容筐体２２に対する回動中心である軸金具３２の回転軸３２を中心とした約４分の１円弧上には、スリット８０が貫通形成されている。例えば、当該円弧の半径を約３インチ（７．６センチ）に、スリット８０の幅を約１センチに設定してもよい。
【００７５】
上述のスリット７７、８０には、図９に示すブッシュ８１、８２が設けられる。ここで、図９は、トレイ収容筐体２２の天板２３の補強板７５のスリット７７に設けられるブッシュ８１及び底板２４の補強板７８のスリット８０に設けられるブッシュ８２の外形を示す斜視図である。
【００７６】
図９に示すように、樹脂製のブッシュ８１、８２はともに同じ形状を有し、底部８３上に、底部よりも径が小さい突起部８４が設けられている。突起部８４の内部には、リベット、ネジ等の締結部材を挿入できるように締結部材用孔８５が形成されている。突起部８４の径は、上述のスリット７７、８０の幅よりも僅かに小さく設定されている。
【００７７】
スリット７７内に、ブッシュ８１の突起部８４を天板２３側から、即ち、上方側から挿入する。かかる突起部８４を、突起部８４の位置と対応する位置に設けられたトレイ２１の凸部（図示せず）に、突起部８４の締結部材用孔８５に設けられたリベット、ネジ等の締結部材を介して固定し、これにより、ブッシュ８１がトレイ２１に固定される。
【００７８】
同様に、スリット８０内に、ブッシュ８２の突起部８４を底板２４側から、即ち、下方側から挿入する。かかる突起部８４を、突起部８４の位置と対応する位置に設けられたトレイ２１の凸部（図示せず）に、突起部８４の締結部材用孔８５に設けられたリベット、ネジ等の締結部材を介して固定し、これにより、ブッシュ８２がトレイ２１に固定される。
【００７９】
図１０に、トレイ収容筐体２２の天板２３の補強板７５のスリット７７にブッシュ８１を設けた状態を示す。なお、図１０においては、天板２３及び光ケーブル２９、３０の図示は省略している。
【００８０】
図１０を参照するに、ブッシュ８１は、トレイ収容筐体２２の天板２３の補強板７５のスリット７７を介してトレイ２１に固定されると共に、突起部８４の径はスリット７７の幅よりも僅かに小さく設定されているため、スリット７７内をトレイ２１とともに、図１０において矢印で示す方向に移動することができる。同様のことが、底板側のブッシュ８２もいえる。
【００８１】
このように、トレイ収容筐体２２の天板２３の補強板７５のスリット７７に設けられたブッシュ８１及び底板２４の補強板７８のスリット８０に設けられたブッシュ８２により、トレイ２１を上下から挟み込む構造となっているため、トレイ２１を回動してトレイ収容筐体２２から引き出しても、トレイ２１が自重により撓んでしまうことを防止することができる。即ち、ブッシュ８１、８２がトレイ２１の回動操作時においてトレイ２１の重量を支える強度部材として機能する。
【００８２】
更に、スリット７７、８０内をブッシュ８１、８２が移動することにより、トレイ２１のトレイ収容筐体２２に対する円滑な回動操作をサポートすることができる。また、ブッシュ８１、８２が、スリット７７、８０の端部と当接することにより、トレイ２１のトレイ収容筐体２２に対する回動が停止され、トレイ２１がそれ以上回動できないことを把握することができる。
【００８３】
次に、トレイ２１を回動してトレイ収容筐体２２から引き出した状態におけるトレイ２１の回動停止構造について、図１１を参照して説明する。図１１は、トレイ２１を回動してトレイ収容筐体２２から引き出した状態におけるトレイ２１の回動停止構造を説明するための図であり、図１１（ｂ）は、図１１（ａ）の点線Ｅで示す箇所を拡大して示す図である。
【００８４】
図１１を参照するに、トレイ２１がトレイ収容筐体２２に収容されたときに、トレイ収容筐体２２の奥行き側に位置するトレイ２１の側面に、例えば、ステンレスから成る板状のトレイ回動停止用部材９０が設けられている。
【００８５】
図１１（ｂ）に示すように、トレイ回動停止用部材９０は、略４分の１円の形状を有する主部９０−１と、主部９０−１から延存形成された天板当接部９０−２から大略構成される。
【００８６】
主部９０−１の角部には、ネジ等で構成される回転軸部９０−３が設けられ、回転軸部９０−３から所定長さ離間した箇所であって、天板当接部９０−２の近傍にネジ部９０−４が設けられている。更に、回転軸部９０−３を中心に、回転軸部９０−３とネジ部９０−４との間の長さを径とした４分の１円弧上に、スリット（トレイ回動停止用溝部）９０−５が、主部９０−１に貫通形成されている。ネジ部９０−４は、かかるスリット９０−５内に位置している。
【００８７】
かかる構造の下、図１１（ａ）に示すように、天板当接部９０−２が、トレイ回動停止用部材９０が設けられているトレイ２１の側面の下部に位置するように、ネジ部９０−４により、トレイ回動停止用部材９０がトレイ２１の側面に固定されている（図１１（ｂ）では、この状態を点線で示している）。
【００８８】
ネジ部９０−４を僅かに緩めることにより、図１１（ｂ）に矢印で示すように、回転軸部９０−３を中心に、トレイ回動停止用部材９０を９０度回動（摺動）させることができる。９０度回動すると、トレイ回動停止用部材９０の天板当接部９０−２が、トレイ収容筐体２２の天板２３の外縁部に当接する。この状態で、ネジ部９０−４を締め込むことにより、トレイ回動停止用部材９０の天板当接部９０−２と、トレイ収容筐体２２の天板２３の外縁部との当接状態が固定・維持される。
【００８９】
かかる構造により、光ケーブル２９、３０の挿抜操作等のためにトレイ２１を回動してトレイ収容筐体２２から引き出した場合に、誤ってトレイ２１をトレイ収容筐体２２に押し込んでしまうことを回避することができる。即ち、トレイ回動停止用部材９０の天板当接部９０−２がトレイ収容筐体２２の天板２３の外縁部と当接することにより、当該天板当接部９０−２が回動操作のストッパーとして機能し、誤ってトレイ２１をトレイ収容筐体２２に押し込んでしまうことが回避でき、更に、ネジ部９０−４を締め込むことにより、かかる当接状態が固定・維持される。よって、安全な光ケーブル２９、３０の挿抜等の操作を確保することができる。
【００９０】
上述のように、本例では、トレイ回動停止用部材９０は、回転軸部９０−３を中心に回動することができる構造となっている。これに対し、天板当接部９０−２を鉛直方向（上下方向）に摺動させる構造を有するトレイ回動停止用部材が考えられる。しかしながら、天板当接部９０−２を鉛直方向（上下方向）に摺動させる方向の最大寸法は、トレイ２１の側面の鉛直方向の長さであり短い。一方、本例の構造では、天板当接部９０−２がトレイ回動停止用部材９０が設けられているトレイ２１の側面の下部に位置している状態において、当該天板当接部９０−２が当該トレイ２１の側面内に位置している限り、当該天板当接部９０−２の長さに制限はない。
【００９１】
また、天板当接部９０−２を鉛直方向（上下方向）に摺動させる構造を有するトレイ回動停止用部材では、天板当接部９０−２を一方の手で上方から支えながら、他方の手でネジ部９０−４を操作する態様となってしまう。一方、本例では、トレイ回動停止用部材９０は、回転軸部９０−３を中心に回動することができる構造となっているため、片手で、トレイ回動停止用部材９０の天板当接部９０−２がトレイ収容筐体２２の天板２３の外縁部と当接するように回動し、かかる状態を維持・固定でき、便利である。
【００９２】
ところで、図２を参照して説明したように、トレイ２１がトレイ収容筐体２２に収容された状態で手前側（図２におけるＸ１側）に位置する側面部２８には、透明シート４０が約２７０度回動自在に設けられている。ここで、透明シート４０について、図１２を参照して説明する。
【００９３】
図１２は、トレイ２１に設けられた透明シート４０を説明するための図であり、トレイ２１がトレイ収容筐体２２から回動により引き出された状態を示す斜視図である。なお、図１２においては、トレイ２１の内部構造の図示及び光ケーブル２９、３０の図示は省略している。図２においては、トレイ２１をトレイ収容筐体２２に対して回動され、透明シート４０を開いた状態が示されているが、図１２では、透明シート４０により、トレイ２１の上方全体が覆われる。
【００９４】
透明シート４０は、例えば、プラスチックから成る。透明シート４０がトレイ２１の上方全体を覆っているため、トレイ２１内において接続された光ケーブル２９、３０（図２参照）、特に、トレイ２１内において密集している箇所における光ケーブル２９、３０のはね上がりを防止することができる。
【００９５】
また、透明シート４０の上面には、書き込み可能なラベル９７を貼り付けることができる。例えば、ラベル９７に、光ケーブル２９、３０の接続先を表示することにより、トレイ２１における光アダプタ３１及び光ケーブル２９、３０の高密度実装により複雑化した光ケーブル２９、３０の接続作業を明確にすることができる。具体的には、ラベル９７として、透明又は半透明のものを用いる。これにより、透明シート７０でトレイ２１の上方を覆った状態においても、光ケーブル２９、３０の接続状況を把握することができる。
【００９６】
本例では、トレイ２１の上方全体を覆っている透明シート４０は、図１２において矢印で示す方向に約２７０度回動させることができる。図２では、図１２に示す状態から透明シート４０を約２７０度回動させた状態が示されている。ここで、かかる透明シート２１の回動構造について、図１３及び図１４を参照して説明する。
【００９７】
図１３は、透明シート２１の回動構造を説明するための図であり、トレイ２１の部分拡大斜視図である。
【００９８】
図１３に示すように、透明シート４０のうち、トレイ２１の側面部２８側の外周部分には、内部に透明シート回動用孔１００が形成された凸部１０１が、透明シート４０の外周部分から延在形成されている。
【００９９】
また、トレイ２１がトレイ収容筐体２２に収容された状態で手前側（図２におけるＸ１側）に位置する側面部２８の上部には切欠けが形成され、矢印Ｆで示す方向に見たときに略コの字型形状を有する透明シート回動支持部材１０２が前記切欠きに設けられている。
【０１００】
透明シート４０の凸部１０１を、図１３において白抜きの矢印で示すように、トレイ２１の側面部２８の切欠きに滑り込ませ、透明シート４０の凸部１０１に形成された透明シート回動用孔１００内にトレイ２１の透明シート回動支持部材１０２を挿入させることにより透明シート４０とトレイ２１とが接合される。
【０１０１】
図１４は、透明シート４０の凸部１０１に形成された透明シート回動用孔１００と、トレイ２１の透明シート回動支持部材１０２との接合と、透明シート４０の回動方向を説明するための図である。図１４では、図１３の矢印Ｆで示す方向から見たときの、トレイ２１の透明シート回動支持部材１０２及び透明シート４０を示している。
【０１０２】
図１４に示すように、透明シート４０の凸部１０１に形成された透明シート回動用孔１００を介して、トレイ２１の透明シート回動支持部材１０２と透明シート４０は接合され、矢印で示す方向に透明シート回動用孔１００が略コの字型を有するトレイ２１の透明シート回動支持部材１０２を滑ることにより、透明シート４０を約２７０度回動させることができる。
【０１０３】
かかる構造により、蝶番等の特別な部品を設けることなく、透明シート４０を回動させることができ、トレイ２１の大きさを薄型化することができる。また、約２７０度、即ち、トレイ２１の上面と垂直の方向まで透明シート４０を回動させて、トレイ２１上方を開くことができるため、トレイ２１内の光アダプタ３１や光ケーブル２９、３０の接続等の作業を容易に行うことができる。
【０１０４】
以上、本発明の実施の形態について詳述したが、本発明は特定の実施形態に限定されるものではなく、特許請求の範囲に記載された本発明の要旨の範囲内において、種々の変形及び変更が可能である。
【０１０５】
例えば、上述の実施の形態においては、本発明の配線接続装置を、光ケーブルが接続されるパッチパネルを例として説明したが、本発明はかかる例に限定されず、通信機器、情報処理機器、計測機器等の電子機器全般に用いられ、一の側の配線と他の側の配線とを中継接続する配線接続装置に適用することができる。
【０１０６】
以上の説明に関し、更に以下の項を開示する。
（付記１）  複数の配線を接続する配線接続部材が内部に複数配設されたトレイと、
前記トレイを収容するトレイ収容筐体と、を備えた配線接続装置であって、
前記トレイは前記トレイ収容筐体に回動自在に設けられ、
前記トレイの回動の中心近傍に、前記複数の配線を前記トレイ内に導入する配線導入口が形成されていることを特徴とする配線接続装置。
（付記２）  付記１記載の配線接続装置であって、
前記トレイと前記トレイ収容筐体は、回転軸を有する回転軸部品を介して接続され、
前記配線導入口は、前記回転軸の近傍に形成され、
前記トレイは、前記回転軸を中心に回動することを特徴とする配線接続装置。
（付記３）  付記２記載の配線接続装置であって、
前記回転軸部品は、前記回転軸に回動自在に連結された第１の板部及び第２の板部を備え、
前記第１の板部は前記トレイ収容筐体に締結され、前記第２の板部は前記トレイに締結され、
前記第２の板部と略同一面上に前記配線導入口が形成され、
前記第２の板部が前記回転軸を中心に回動することにより、前記トレイが前記回転軸を中心に回動することを特徴とする配線接続装置。
（付記４）  付記１乃至３いずれか一項記載の配線接続装置であって、
前記複数の配線接続部材が取り付けられた配線接続部材取付部材が前記トレイ内に複数列配設され、
一の列に於いて隣接して取り付けられた配線接続部材同士の間に、他の列に取り付けられた配線接続部材に接続された配線を通すための配線配設用溝部が形成されていることを特徴とする配線接続装置。
（付記５）  付記４記載の配線接続装置であって、
前記配線接続部材取付部材は、前記トレイの幅方向に延設された２つの折曲部材を当該折曲部材同士が接する面を対象線として線対称に配置して成り、
前記配線接続部材取付部材において、前記配線接続部材が取り付けられる面の上下には、天板部と底板部が設けられ、
前記配線接続部材取付部材は、略コの字型の断面形状を有することを特徴とする配線接続装置。
（付記６）  付記５記載の配線接続装置であって、
互いに接触して設けられた前記２つの折曲部材のそれぞれの前記天板部は同一面を形成し、当該面に書込可能なラベルを貼付することができることを特徴とする配線接続装置。
（付記７）  付記４乃至６いずれか一項記載の配線接続装置であって、
前記配線配設用溝部は、上部が下部よりも狭い形状を有することを特徴とする配線接続装置。
（付記８）  付記１乃至付記７いずれか一項記載の配線接続装置であって、
前記配線接続部材を前記配線接続部材取付部材に対して挿抜するための配線接続部材用挿抜部材を、前記トレイ内に備え、
前記配線接続部材用挿抜部材は、前記配線接続部材の外形形状に対応した形状を有する挟持部を有することを特徴とする配線接続装置。
（付記９）  付記１乃至８いずれか一項記載の配線接続装置であって、
前記トレイ収容筐体は、天板及び底板を備え、
前記天板及び前記底板の内部には、凹凸部を有する補強板が設けられていることを特徴とする配線接続装置。
（付記１０）  付記９記載の配線接続装置であって、
前記補強板には、前記トレイの前記回動中心を中心とした円弧上に、回動用溝部が貫通形成されていることを特徴とする配線接続装置。
（付記１１）  付記１０記載の配線接続装置であって、
前記回動用溝部には、前記トレイに固定されたブッシュが挿入されており、
前記ブッシュが前記回動用溝部を移動すると、前記トレイが回動することを特徴とする配線接続装置。
（付記１２）  付記１乃至付記１１記載の配線接続装置であって、
前記トレイを回動させることにより露出する前記トレイの側面に、板状のトレイ回動停止用部材が回動自在に設けられていることを特徴とする配線接続装置。
（付記１３）  付記１２記載の配線接続装置であって、
前記トレイ回動停止用部材は、
回転軸部と、
前記回転軸部と所定長さ離間して設けられたネジ部と、
前記回転軸部を中心とし、前記回転軸部と前記ネジ部との離間長さを径とした円弧上に、トレイ回動停止用溝部が貫通形成された主部と、
前記主部から延在形成された天板当接部と、を備え、
前記ネジ部は、前記トレイ回動停止用溝部内に位置し、
前記トレイ回動停止用部材を回動することにより、前記天板当接部と前記トレイ収容筐体の天板とが当接することを特徴とする配線接続装置。
（付記１４）  付記１乃至１３いずれか一項記載の配線接続装置であって、
前記トレイの上方を覆うシートが、前記トレイの側面部に回動自在に設けられていることを特徴とする配線接続装置。
（付記１５）  付記１４記載の配線接続装置であって、
前記シートは透明であることを特徴とする配線接続装置。
（付記１６）  付記１５記載の配線接続装置であって、
前記シートには、書込可能なラベルを貼付することができることを特徴とする配線接続装置。
（付記１７）  付記１４乃至１６いずれか一項記載の配線接続装置であって、
前記シートの外周部にシート回動用孔が形成され、
前記トレイの前記側面部に、略コの字型形状を有するシート回動支持部材が形成され、
前記シートの前記回動用孔内に前記トレイの前記シート回動支持部材が移動自在に挿入されて、前記シートと前記トレイとが移動自在に接合されることを特徴とする配線接続装置。
（付記１８）  付記１７記載の配線接続装置であって、
前記シート回動用孔が前記シート回動支持部材を滑ることにより、前記シートを前記トレイに対して回動させることができることを特徴とする配線接続装置。
【図面の簡単な説明】
【０１０７】
【図１】従来のパッチパネルの構造を示す斜視図である。
【図２】本発明の実施の形態に係るパッチパネル２０の全体構成を示す斜視図である。
【図３】トレイにおける光ケーブルの収容構造を説明するための図（その１）である。
【図４】トレイにおける光ケーブルの収容構造を説明するための図（その２）である。
【図５】光アダプタの配設構造を示す図である。
【図６】図５の線Ｃ−Ｃにおける断面図である。
【図７】光アダプタ取付孔への光アダプタの挿抜の仕方を説明するための図である。
【図８】トレイ収容筐体の概略構造を示す分解斜視図である。
【図９】トレイ収容筐体の天板の補強板のスリットに設けられるブッシュ及び底板の補強板のスリットに設けられるブッシュの外形を示す斜視図である。
【図１０】トレイ収容筐体の天板の補強板のスリットにブッシュを設けた状態を示す部分拡大斜視図である。
【図１１】トレイを回動してトレイ収容筐体から引き出した状態におけるトレイの回動停止構造を説明するための図である。
【図１２】トレイに設けられた透明シートを説明するための斜視図である。
【図１３】透明シートの回動構造を説明するための部分拡大斜視図である。
【図１４】透明シートの透明シート回動用孔と、トレイの透明シート回動支持部材との接合と、透明シートの回動方向を説明するための図である。
【符号の説明】
【０１０８】
２０  パッチパネル
２１  トレイ
２２  トレイ収容筐体
２３  天板
２４  底板
２９、３０  光ケーブル
３１  光アダプタ
３２  回転軸
３３  軸金具
３４、３５  金属板
３６  光ケーブル導入口
４０  透明シート
４４  光アダプタ取付部材
４４−１、４４−２  折曲パネル部材
４４−１ａ、４４−２ａ  天板部
４４−１ｂ、４４−２ｂ  底板部
４８、７７、９０−５  スリット
６０  光アダプタ挿抜部材
７５  補強板
８１、８２  ブッシュ
９０  トレイ回動停止用部材
９０−１  主部
９０−２  天板当接部
９０−３  回転軸部
９０−４  ネジ部
１００  透明シート回動用孔
１０２  透明シート回動支持部材
【図１】
2008170502.tif 000003
【図２】
2008170502.tif 000004
【図３】
2008170502.tif 000005
【図４】
2008170502.tif 000006
【図５】
2008170502.tif 000007
【図６】
2008170502.tif 000008
【図７】
2008170502.tif 000009
【図８】
2008170502.tif 000010
【図９】
2008170502.tif 000011
【図１０】
2008170502.tif 000012
【図１１】
2008170502.tif 000013
【図１２】
2008170502.tif 000014
【図１３】
2008170502.tif 000015
【図１４】
2008170502.tif 000016